(57)【要約】【課題】  ディスプレイの設定項目を、離れた位置から判読可能なように拡大することができるマルチディスプレイシステムを提供する。【解決手段】  マルチディスプレイシステム１に、設定項目画像を含む設定メニュー画像を表示するＯＳＤ重畳部２２３と、設定メニュー画像内のいずれかの設定項目画像を、拡大表示の対象として選択するＯＳＤ生成部２３１と、選択された設定項目画像を拡大した画像である拡大設定項目画像を表示するＯＳＤ拡大処理部２３２とを設ける。【選択図】      図６
2013009057.tif 000002
【特許請求の範囲】
【請求項１】
複数のディスプレイがデータ通信可能に接続されて構成されるマルチディスプレイシステムにおいて、
ディスプレイの設定項目を表した設定項目画像を含む設定メニュー画像を表示する設定メニュー画像表示手段と、
表示された設定メニュー画像内のいずれかの設定項目画像を、拡大表示の対象として選択する項目選択手段と、
前記項目選択手段によって選択された設定項目画像を拡大した拡大設定項目画像を表示する拡大設定項目画像表示手段とを備えることを特徴とするマルチディスプレイシステム。
【請求項２】
前記拡大設定項目画像表示手段は、複数のディスプレイに亘って、前記拡大設定項目画像を表示することを特徴とする請求項１に記載のマルチディスプレイシステム。
【請求項３】
前記拡大設定項目画像表示手段は、前記設定メニュー画像の表示中、前記設定メニュー画像の表示位置とは異なる位置に、前記拡大設定項目画像を表示することを特徴とする請求項１または２に記載のマルチディスプレイシステム。
【請求項４】
前記設定メニュー画像表示手段は、１つのディスプレイ内に、そのディスプレイの設定項目を表した前記設定メニュー画像を表示することを特徴とする請求項３に記載のマルチディスプレイシステム。
【請求項５】
前記拡大設定項目画像表示手段は、前記設定メニュー画像を表示中のディスプレイとは異なるディスプレイに、前記拡大設定項目画像を表示することを特徴とする請求項４に記載のマルチディスプレイシステム。
【請求項６】
各ディスプレイは、デイジーチェイン接続によってデータ通信可能に接続されることを特徴とする請求項１〜５のいずれか１つに記載のマルチディスプレイシステム。
【発明の詳細な説明】
【技術分野】
【０００１】
本発明は、マルチディスプレイシステムに関する。
【背景技術】
【０００２】
複数のディスプレイから構成されるマルチディスプレイシステムでは、ディスプレイを操作するとき、通常、すべてのディスプレイの画面全体を見渡せる程度に、ディスプレイから離れて操作する。しかしながら、マルチディスプレイシステムから離れた位置でディスプレイの設定項目を変更しようとする場合、肉眼で設定項目を確認し難く、設定値の変更が容易ではないという問題がある。設定項目は、複数の設定項目を集めた設定メニューとして表示されるのが一般的であり、１つの設定項目の表示サイズは小さくなってしまうからである。
【０００３】
特許文献１には、上記の問題を解決しようとするディスプレイが記載されている。特許文献１に記載のディスプレイは、１つのディスプレイの画面全体に設定メニューを拡大することができ、これによって、上記の問題を解決しようとしている。
【先行技術文献】
【特許文献】
【０００４】
【特許文献１】特開２００６−３５２５１１号公報
【発明の概要】
【発明が解決しようとする課題】
【０００５】
特許文献１に記載のような、画面全体に設定メニューを拡大できるディスプレイであったとしても、拡大できる大きさはディスプレイのサイズが限界であるので、離れて操作するときには、やはり、肉眼で設定項目を確認し難いという課題が生じる。この課題は、マルチディスプレイシステムを構成するディスプレイの数が増えるほど顕著になる。
【０００６】
本発明は、上記の課題を解決するためのものであり、ディスプレイの設定項目を、離れた位置から判読可能なように拡大することができるマルチディスプレイシステムを提供することを目的とする。
【課題を解決するための手段】
【０００７】
本発明は、複数のディスプレイがデータ通信可能に接続されて構成されるマルチディスプレイシステムにおいて、
ディスプレイの設定項目を表した設定項目画像を含む設定メニュー画像を表示する設定メニュー画像表示手段と、
表示された設定メニュー画像内のいずれかの設定項目画像を、拡大表示の対象として選択する項目選択手段と、
前記項目選択手段によって選択された設定項目画像を拡大した拡大設定項目画像を表示する拡大設定項目画像表示手段とを備えることを特徴とするマルチディスプレイシステムである。
【０００８】
また本発明は、前記拡大設定項目画像表示手段は、複数のディスプレイに亘って、前記拡大設定項目画像を表示することを特徴とする。
【０００９】
また本発明は、前記拡大設定項目画像表示手段は、前記設定メニュー画像の表示中、前記設定メニュー画像の表示位置とは異なる位置に、前記拡大設定項目画像を表示することを特徴とする。
【００１０】
また本発明は、前記設定メニュー画像表示手段は、１つのディスプレイ内に、そのディスプレイの設定項目を表した前記設定メニュー画像を表示することを特徴とする。
【００１１】
また本発明は、前記拡大設定項目画像表示手段は、前記設定メニュー画像を表示中のディスプレイとは異なるディスプレイに、前記拡大設定項目画像を表示することを特徴とする。
【００１２】
また本発明は、各ディスプレイは、デイジーチェイン接続によってデータ通信可能に接続されることを特徴とする。
【発明の効果】
【００１３】
本発明によれば、設定メニュー画像の一部である設定項目画像を拡大表示することができるので、ディスプレイから遠く離れた位置でも設定項目画像を判読することができる。
【００１４】
また本発明によれば、マルチディスプレイシステム内の複数のディスプレイに亘って設定項目画像が拡大表示されるので、ディスプレイからより遠く離れた位置でも設定項目画像を判読することができる。
【００１５】
また本発明によれば、設定メニュー画像の表示位置とは異なる位置に設定項目画像が拡大表示されるので、設定メニュー画像と設定項目画像とを両方判読することができる。
【００１６】
また本発明によれば、設定メニュー画像が表示されているディスプレイを確認することで、マルチディスプレイシステムを構成する複数のディスプレイのうちのいずれのディスプレイの設定項目画像が拡大表示されているのかを確認することができる。
【００１７】
また本発明によれば、設定メニュー画像が表示されているディスプレイ以外のディスプレイに設定項目画像を拡大表示するので、設定項目画像をより大きく拡大表示することができる。
【００１８】
また本発明によれば、デイジーチェイン接続によって各ディスプレイをデータ通信可能に接続することができる。
【図面の簡単な説明】
【００１９】
【図１】マルチディスプレイシステム１の外観を模式的に示す図である。
【図２】複数のディスプレイ１０間の接続の様子を模式的に示す図である。
【図３】ディスプレイ１０の電気的な構成を模式的に示す図である。
【図４】ＲＳ−２３２Ｃ入力接続部１８およびＲＳ−２３２Ｃ出力接続部１９の詳細を示す図である。
【図５】ディスプレイＩＤの設定処理を示すフローチャートである。
【図６】スケーラー部１１の構成を示すブロック図である。
【図７】マルチディスプレイシステム１に表示される画像を示す図である。
【図８】マルチディスプレイシステム１に表示される画像を示す図である。
【図９】マルチディスプレイシステム１に表示される画像を示す図である。
【図１０】マルチディスプレイシステム１に表示される画像を示す図である。
【図１１】設定メニュー画像１０３を拡大して示す図である。
【図１２】マルチディスプレイシステム１に表示される画像を示す図である。
【図１３】マルチディスプレイシステム１に表示される画像を示す図である。
【図１４】マルチディスプレイシステム１に表示される拡大設定項目画像を示す図である。
【図１５】マルチディスプレイシステム１に表示される拡大設定項目画像を示す図である。
【図１６】マルチディスプレイシステム１に表示される拡大設定項目画像を示す図である。
【図１７】マルチディスプレイシステム１に表示される拡大設定項目画像を示す図である。
【図１８】マルチディスプレイシステム１に表示される拡大設定項目画像を示す図である。
【図１９】マルチディスプレイシステム１に表示される拡大設定項目画像を示す図である。
【図２０】マルチディスプレイシステム１に表示される拡大設定項目画像を示す図である。
【図２１】リモコン３０の外観図である。
【図２２】メニューボタン３２が押下されたときの処理を示すフローチャートである。
【図２３】サイズボタン３３が押下されたときの処理を示すフローチャートである。
【図２４】カーソル上ボタン３４ａまたはカーソル下ボタン３４ｂが押下されたときの処理を示すフローチャートである。
【図２５】カーソル左ボタン３４ｃまたはカーソル右ボタン３４ｄが押下されたときの処理を示すフローチャートである。
【発明を実施するための形態】
【００２０】
図１は、本発明の実施形態であるマルチディスプレイシステム１の外観を模式的に示す図である。マルチディスプレイシステム１は、データ通信可能に接続される複数のディスプレイ１０と、ディスプレイ１０を操作するための操作情報を光信号としてディスプレイ１０に送信するリモートコントローラ（以下では、「リモコン」と称する）３０とによって構成される。なお、リモコン３０からの指示は、後述するマスタディスプレイにのみ受信される。
【００２１】
図２は、複数のディスプレイ１０間の接続の様子を模式的に示し、図３は、ディスプレイ１０の電気的な構成を模式的に示す。また、図４は、ディスプレイ１０が備えるＲＳ−２３２Ｃ（Recommended Standard 232 version C）入力接続部１８およびＲＳ−２３２Ｃ出力接続部１９の詳細を示す図である。図３および図４に示すように、ディスプレイ１０は、スケーラー部１１、第１メモリ１２、第２メモリ１３、表示器１４、受光部１５、画像信号入力部１６、ローカルエリアネットワーク（Local Area Network，ＬＡＮ）接続部１７、ＲＳ−２３２Ｃ入力接続部１８、ＲＳ−２３２Ｃ出力接続部１９、ダイオードＤ、第１抵抗素子Ｒ１、第２抵抗素子Ｒ２、論理和回路２５、およびドライバ２６，２７を含む。なお、ＲＳ−２３２Ｃは、シリアル通信規格の名称である。
【００２２】
図１および図２に示すように、マルチディスプレイシステム１は、９台のディスプレイ１０を３行３列に配置した構成（以下では、「３×３構成」と称する）である。以下、各ディスプレイ１０を区別する必要がある場合は、ディスプレイ１０の参照符号「１０」に添え字「ａ」〜「ｉ」を付して各ディスプレイ１０を区別し、ディスプレイ１０ａ〜１０ｉに共通し、区別する必要がない場合は、ディスプレイ１０を用いる。また、同様に、ＲＳ−２３２Ｃ入力接続部１８およびＲＳ−２３２Ｃ出力接続部１９についても、添え字「ａ」〜「ｉ」を付してそれぞれを区別する。
【００２３】
ＲＳ−２３２Ｃ入力接続部１８は、ディスプレイ１０の外部から信号を受信するための受信手段であり、ＲＳ−２３２Ｃ出力接続部１９は、ディスプレイ１０の外部へ信号を送信するための送信手段である。図３に示すように、ＲＳ−２３２Ｃ入力接続部１８およびＲＳ−２３２Ｃ出力接続部１９は、スケーラー部１１に接続され、ＲＳ−２３２Ｃ入力接続部１８は、外部から受信した信号をスケーラー部１１に送り、ＲＳ−２３２Ｃ出力接続部１９は、スケーラー部１１から受け取った情報を外部へ送信する。
【００２４】
スケーラー部１１は、中央処理装置（以下、「ＣＰＵ」と称する）２１、表示制御回路部２２、およびオンスクリーンディスプレイ（On-Screen Display，ＯＳＤ）回路部２３を含む集積回路によって構成される。第１メモリ１２は、たとえば半導体メモリによって構成され、後述するケーブルチェック（以下、「Ｃａｂｌｅ＿ｃｋ」と称する）レジスタ情報、ディスプレイＩＤなどの情報を記憶する。ディスプレイＩＤは、各ディスプレイ１０を識別するための識別情報である。第２メモリ１３は、たとえば半導体メモリによって構成され、ＣＰＵ２１によって実行される制御プログラムデータ、マルチディスプレイシステム１に関する情報、ＲＳ−２３２Ｃに関する情報などを記憶する。第１メモリ１２および第２メモリ１３への情報の書き込み、ならびに第１メモリ１２および第２メモリ１３からの情報の読み出しは、ＣＰＵ２１によって行われる。
【００２５】
表示器１４は、たとえば液晶パネルによって構成され、スケーラー部１１から受け取った画像データに基づく画像を液晶パネルに表示する。受光部１５は、リモコン３０から送信された光信号を受信し、光信号が表す情報をスケーラー部１１に送る。画像信号入力部１６は、外部から画像信号を入力するためのコネクタである。外部から入力される画像信号は、たとえばパーソナルコンピュータから出力されるアナログ信号、ＤＶＩ（Digital Visual Interface）信号もしくはディスプレイポート（DisplayPort）信号、または、オーディオビデオ機器から出力されるコンポジット信号、コンポーネント信号もしくはＨＤＭＩ（High-Definition Multimedia Interface）信号などである。ＬＡＮ接続部１７は、ＬＡＮケーブルを接続するコネクタを含み、ＬＡＮによる情報の送受信を制御する。ＬＡＮ接続部１７は、受信した情報をスケーラー部１１に送り、スケーラー部１１から受け取った情報を送信する。
【００２６】
図２に示すように、ディスプレイ１０ａを除くディスプレイ１０のＲＳ−２３２Ｃ入力接続部１８には、ＲＳ−２３２Ｃ用接続ケーブルＫ１〜Ｋ８（区別する必要がない場合は「ＲＳ−２３２Ｃ用接続ケーブルＫ」と称する）のうちのいずれか１つのケーブルの一端が接続され、このケーブルの他端は、他のディスプレイ１０のＲＳ−２３２Ｃ出力接続部１９に接続される。このとき、ケーブルの一端がＲＳ−２３２Ｃ入力接続部１８に接続されるディスプレイ１０を、ケーブルの他端がＲＳ−２３２Ｃ出力接続部１９に接続されるディスプレイ１０に対して、下流側のディスプレイ１０であると称し、逆に、ケーブルの他端がＲＳ−２３２Ｃ出力接続部１９に接続されるディスプレイ１０を、ケーブルの一端がＲＳ−２３２Ｃ入力接続部１８に接続されるディスプレイ１０に対して、上流側のディスプレイ１０であると称する。
【００２７】
本実施形態では、ＲＳ−２３２Ｃ用接続ケーブルＫ１〜Ｋ８による接続は、デイジーチェイン接続である。すなわち、各ディスプレイ１０は、ＲＳ−２３２Ｃ用接続ケーブルＫ１〜Ｋ８によって直列的に接続される。より詳細には、ＲＳ−２３２Ｃ用接続ケーブルＫ１によって、ＲＳ−２３２Ｃ出力接続部１９ａとＲＳ−２３２Ｃ入力接続部１８ｂとが接続され、ＲＳ−２３２Ｃ用接続ケーブルＫ２によって、ＲＳ−２３２Ｃ出力接続部１９ｂとＲＳ−２３２Ｃ入力接続部１８ｃとが接続され、以降同様に、ＲＳ−２３２Ｃ用接続ケーブルＫ８まで、上流側のディスプレイ１０のＲＳ−２３２Ｃ出力接続部１９と、下流側のディスプレイ１０のＲＳ−２３２Ｃ入力接続部１８とが接続される。
【００２８】
図４に示すように、ＲＳ−２３２Ｃ入力接続部１８は、端子Ｘ１〜Ｘ９を含み、ＲＳ−２３２Ｃ出力接続部１９は、端子Ｙ１〜Ｙ９を含む。ＲＳ−２３２Ｃ出力接続部１９の端子Ｙ９は、アノードが電源、たとえば＋５Ｖの電源に接続されるダイオードＤのカソードに接続される。ＲＳ−２３２Ｃ入力接続部１８の端子Ｘ９は、一端がアースに接続される第１抵抗素子Ｒ１の他端、およびスケーラー部１１に接続される。端子Ｘ９からスケーラー部１１への信号を、Ｃａｂｌｅ＿ｃｋ信号と称する。
【００２９】
ＲＳ−２３２Ｃ入力接続部１８がＲＳ−２３２Ｃ用接続ケーブルＫによって上流側のディスプレイ１０のＲＳ−２３２Ｃ出力接続部１９に接続されるとき、ＲＳ−２３２Ｃ入力接続部１８の端子Ｘ９は、上流側のディスプレイ１０のＲＳ−２３２Ｃ出力接続部１９の端子Ｙ９と接続される。端子Ｘ９が端子Ｙ９に接続されると、端子Ｙ９がダイオードＤを介して電源に接続されるので、Ｃａｂｌｅ＿ｃｋ信号は、電源の電圧からダイオードＤの電圧降下を減算した電圧（以下では、「ハイレベル」と称する）になる。そして、ＲＳ−２３２Ｃ入力接続部１８がＲＳ−２３２Ｃ用接続ケーブルＫによって上流側のディスプレイ１０のＲＳ−２３２Ｃ出力接続部１９に接続されないとき、端子Ｘ９が第１抵抗素子Ｒ１によってアースに接続されるので、Ｃａｂｌｅ＿ｃｋ信号は、アースの電圧（以下では、「ローレベル」と称する）になる。
【００３０】
スケーラー部１１は、Ｃａｂｌｅ＿ｃｋ信号がハイレベルであるとき、自装置の上流側に他のディスプレイ１０が接続されていると判断する。また、Ｃａｂｌｅ＿ｃｋ信号がローレベルであるとき、自装置の上流側には他のディスプレイ１０が接続されておらず、自装置が最も上流側であると判断する。そして、スケーラー部１１は、Ｃａｂｌｅ＿ｃｋ信号がハイレベルであるとき、Ｃａｂｌｅ＿ｃｋレジスタ情報として、Ｃａｂｌｅ＿ｃｋ信号がハイレベルであることを示す「１」を、第１メモリ１２に記憶し、Ｃａｂｌｅ＿ｃｋ信号がローレベルであるとき、Ｃａｂｌｅ＿ｃｋレジスタ情報として、Ｃａｂｌｅ＿ｃｋ信号がローレベルであることを示す「０」を、第１メモリ１２に記憶する。
【００３１】
なお、ＲＳ−２３２Ｃ入力接続部１８の端子Ｘ２，Ｘ３、およびＲＳ−２３２Ｃ出力接続部１９の端子Ｙ２，Ｙ３は、シリアル通信用の端子であり、スケーラー部１１に接続される。端子Ｘ３からスケーラー部１１への信号は、ＲＳ２３２Ｃ＿ｉｎ＿ＴｘＤ信号であり、端子Ｘ２からスケーラー部１１への信号は、ＲＳ２３２Ｃ＿ｉｎ＿ＲｘＤ信号である。スケーラー部１１から端子Ｙ３への信号は、ＲＳ２３２Ｃ＿ｏｕｔ＿ＲｘＤ信号であり、スケーラー部１１から端子Ｙ２への信号は、ＲＳ２３２Ｃ＿ｏｕｔ＿ＴｘＤ信号である。
【００３２】
図２に示すように、最も上流側のディスプレイ１０は、ディスプレイ１０ａである。マルチディスプレイシステム１では、最も上流側のディスプレイ１０ａは、他のディスプレイ１０にコマンドを送信するマスタディスプレイとなり、マスタディスプレイの下流側にある他のすべてのディスプレイ１０は、マスタディスプレイから送られたコマンドを受信するスレーブディスプレイとなる。マスタディスプレイから送られるコマンドの１つに、各ディスプレイ１０にディスプレイＩＤを設定するための自動ＩＤ振分コマンド（以下では、「振分コマンド」と称する）がある。
【００３３】
図４および図５を用いて、ディスプレイＩＤの設定処理について説明する。図５は、ディスプレイＩＤの設定処理を示すフローチャートである。各ディスプレイ１０が接続され、各ディスプレイ１０の電源が投入され後、各ディスプレイ１０において、ステップＡ１の処理が行われる。
【００３４】
ステップＡ１では、ＣＰＵ２１は、Ｃａｂｌｅ＿ｃｋロジックを第１メモリ１２へ格納する。具体的には、ＣＰＵ２１は、Ｃａｂｌｅ＿ｃｋ信号がハイレベルであるとき、Ｃａｂｌｅ＿ｃｋレジスタ情報として「１」を第１メモリ１２に記憶し、Ｃａｂｌｅ＿ｃｋ信号がローレベルであるとき、Ｃａｂｌｅ＿ｃｋレジスタ情報として「０」を第１メモリ１２に記憶する。ステップＡ２では、ＣＰＵ２１は、第１メモリ１２に記憶されるＣａｂｌｅ＿ｃｋロジックが「１」であるか否かを判定する。Ｃａｂｌｅ＿ｃｋレジスタ情報が「１」であるとき、ステップＡ３に進み、Ｃａｂｌｅ＿ｃｋレジスタ情報が「１」ではないとき、ステップＡ５に進む。
【００３５】
ステップＡ３およびステップＡ３の後に行われるステップＡ４は、マスタディスプレイによって行われる処理である。ステップＡ３では、マスタディスプレイのＣＰＵ２１は、自装置のディスプレイＩＤを「１」に設定する。すなわち、自装置の第１メモリ１２に記憶されるディスプレイＩＤとして「１」を記憶する。そして、ステップＡ４では、マスタディスプレイのＣＰＵ２１は、下流のディスプレイ１０に、振分コマンドおよびディスプレイＩＤ「１」を送信する。
【００３６】
ステップＡ５およびステップＡ５の後に行われるステップＡ６〜Ａ８は、スレーブディスプレイによって行われる処理である。ステップＡ５では、スレーブディスプレイは、上流のディスプレイ１０から、振分コマンドおよびディスプレイＩＤを受信する。そして、スレーブディスプレイのＣＰＵ２１は、受信したディスプレイＩＤに「１」を加算し（ステップＡ６）、加算して得られた値を、自装置のディスプレイＩＤとして設定、すなわち、自装置の第１メモリ１２に記憶する（ステップＡ７）。
【００３７】
ステップＡ８では、スレーブディスプレイのＣＰＵ２１は、下流のディスプレイ１０に、振分コマンドを転送するとともに、自装置のディスプレイＩＤを送信する。なお、最も下流側のディスプレイ１０ｉは、ディスプレイＩＤの設定が終了すると、すべてのディスプレイＩＤの設定が終了したことを示す通知を、上流側のスレーブディスプレイを介して、マスタディスプレイに送信する。
【００３８】
以上のようなディスプレイＩＤの設定処理によって、ディスプレイ１０ａには、ディスプレイＩＤ「１」が設定され、ディスプレイ１０ｂには、ディスプレイＩＤ「２」が設定され、以降同様にして、ディスプレイ１０ｃ〜１０ｉに、ディスプレイＩＤ「３」〜「９」がそれぞれ設定される。ディスプレイＩＤの設定後、ユーザによって、マスタディスプレイの第１メモリ１２に、マルチディスプレイシステム１が３×３構成であること、および、マルチディスプレイ内座標が入力される。マルチディスプレイ内座標は、各ディスプレイ１０が、マルチディスプレイシステム１においてどの位置に配置されているかを示す座標であり、たとえば、図１において上から２行目左から３列目に配置されているディスプレイ１０ｆのマルチディスプレイ内座標は、（２，３）である。
【００３９】
次に、スケーラー部１１による画像の表示処理について説明する。図６は、スケーラー部１１の構成を示すブロック図である。図７〜図１０、図１２、および図１３は、マルチディスプレイシステム１に表示される画像を示す図である。スケーラー部１１は、上述したように、ＣＰＵ２１と、表示制御回路部２２と、ＯＳＤ回路部２３とを含んでいる。表示制御回路部２２は、額縁補正部２２１、拡大処理部２２２、およびＯＳＤ重畳部２２３を含み、ＯＳＤ回路部２３は、ＯＳＤ生成部２３１およびＯＳＤ拡大処理部２３２を含む。
【００４０】
表示制御回路部２２は、画像信号入力部１６、ＬＡＮ接続部１７、またはＲＳ−２３２Ｃ入力接続部１８を介して入力された入力画像データに基づいて、ディスプレイ１０のいずれかに入力画像を表示させる。本実施形態では、マスタディスプレイは、自装置または他のディスプレイ１０のうちのいずれか１つのディスプレイ１０の表示器１４の画面内に、入力画像データに基づく入力画像を表示させることができる。具体的には、マスタディスプレイは、スレーブディスプレイに対して、ディスプレイＩＤと、入力画像データとを送信することで、スレーブディスプレイに入力画像を表示させる。たとえば、図７に示すように、マスタディスプレイは、ディスプレイ１０ｃの画面内に入力画像１００を表示させることができる。
【００４１】
拡大処理部２２２は、入力画像に拡大処理を行い、拡大処理後の画像に対して分割処理を行うことで、入力画像を、複数のディスプレイ１０の画面内に亘って、拡大して表示させる。本実施形態では、マスタディスプレイは、自装置または他のディスプレイ１０のうちのいずれか複数のディスプレイ１０の表示器１４の画面内に亘って、入力画像を拡大した拡大入力画像を表示させることができる。具体的には、マスタディスプレイは、入力画像に拡大処理を行い、拡大処理後の画像に対して分割処理を行うことで、複数の分割画像を表す分割画像データを作成する。そして、マルチディスプレイ内座標に基づいて、いずれの分割画像をいずれのディスプレイ１０の画面内に表示すべきかを判断し、分割画像を表示すべきと判断したディスプレイ１０のディスプレイＩＤと、その分割画像を表す分割画像データとを下流側に送信することで、複数のディスプレイ１０の画面内に亘って拡大入力画像を表示させる。
【００４２】
たとえば、図８に示すように、マスタディスプレイは、図７に示す入力画像１００を縦に３倍に拡大し、横に３倍に拡大した後、９つに分割して得られる分割画像１０１ａ〜１０１ｉを、ディスプレイ１０ａ〜１０ｉにそれぞれ表示させることができる。その結果、すべてのディスプレイ１０の画面内に亘って、分割画像１０１ａ〜１０１ｉからなる拡大入力画像を表示させることができる。
【００４３】
額縁補正部２２１は、拡大処理部２２２によって入力画像を拡大するときに、拡大処理後の画像がディスプレイ１０の額縁に隠れているかのように、画像を補正する。このような補正を、額縁補正処理と称する。本実施形態では、マスタディスプレイは、拡大処理部２２２によって入力画像に拡大処理を行い、額縁補正部２２１によって額縁補正処理を行うことで、拡大処理後の画像において額縁に相当する部分を除去する。その後、拡大処理部２２２によって、額縁補正処理後の画像を分割して分割画像データを作成し、複数の分割画像データそれぞれについて、ディスプレイＩＤとともにスレーブディスプレイに送信することで、複数のディスプレイ１０の画面内に、額縁補正処理後の画像を表示させる。
【００４４】
たとえば、図９に示すように、マスタディスプレイは、図７に示す入力画像１００に、拡大処理、額縁補正処理、および分割処理を行って得られた分割画像１０２ａ〜１０２ｉを、ディスプレイ１０ａ〜１０ｉにそれぞれ表示させることができる。額縁補正処理を行ってマルチディスプレイシステム１に表示される拡大画像は、ディスプレイ１０ａ〜１０ｉのすべての画面を１つの大きな画面として入力画像１００を拡大して表示し、拡大された画像の一部が額縁によって隠されているかのように見える画像である。これに対して、図８に示すように、額縁補正処理を行わずにマルチディスプレイシステム１に表示される拡大画像は、各ディスプレイ１０間で不連続になって見える画像である。なお、ユーザは、マスタディスプレイに対して、額縁補正処理を行うか否かを設定することができる。
【００４５】
ＯＳＤ生成部２３１は、ディスプレイ１０の設定項目を表した設定項目画像を含む設定メニュー画像を表示する。マスタディスプレイの第１メモリ１２には、１つの選択ＩＤ情報が記憶されており、マスタディスプレイは、選択ＩＤ情報が示すディスプレイＩＤが割り振られたディスプレイ１０の画面内に設定メニュー画像を表示させる。選択ＩＤ情報が示すディスプレイ１０の画面内に表示される設定メニュー画像は、そのディスプレイ１０の設定項目を表した設定項目画像を含む設定メニュー画像である。なお、初期設定では、選択ＩＤ情報は「１」であり、選択ＩＤ情報が「１」である場合、図１０に示すように、マスタディスプレイの画面内に、設定メニュー画像１０３が表示される。
【００４６】
図１１は、図１０に示す設定メニュー画像１０３を拡大して示す図である。設定メニュー画像１０３内には、ＩＤ選択画像１０４と、設定項目画像であるコントラスト設定画像１０５ａ、ブラックレベル設定画像１０５ｂ、カラー設定画像１０５ｃ、およびホワイトバランス設定画像１０５ｄとが含まれている。ＩＤ選択画像１０４は、「ＤＩＳＰＬＡＹ ＩＤ」という文字と、選択ＩＤ情報が示すディスプレイＩＤを表した数字「１」とを含んでいる。コントラスト設定画像１０５ａは、設定項目名である「ＣＯＮＴＲＡＳＴ」という文字と、設定値である「１２７」という数字と、設定値の大きさを視覚的に表すバーとを含んでいる。ブラックレベル設定画像１０５ｂは、設定項目名である「ＢＬＡＣＫ ＬＥＶＥＬ」という文字と、設定値である「１２７」という数字と、設定値の大きさを視覚的に表すバーとを含んでいる。カラー設定画像１０５ｃは、設定項目名である「ＣＯＬＯＲ」という文字と、設定値である「１２７」という数字と、設定値の大きさを視覚的に表すバーとを含んでいる。ホワイトバランス設定画像１０５ｄは、設定項目名である「ＷＨＩＴＥ ＢＡＬＡＮＣＥ」という文字と、設定値である「１２７」という数字と、設定値の大きさを視覚的に表すバーとを含んでいる。
【００４７】
本実施形態では、選択ＩＤ情報が「ｋ（ｋは、１〜９のいずれか１つの値）」であるとき、ディスプレイＩＤが「ｋ」のディスプレイ１０に、そのディスプレイ１０の設定項目を表した設定項目画像を含む設定メニュー画像が表示される。そのために、マスタディスプレイは、自装置および各スレーブディスプレイの設定値を一括して第１メモリ１２内に管理している。なお、リモコン３０から、各ディスプレイ１０の設定値の変更の指示を送信することができ、マスタディスプレイは、設定値の変更の指示を受信すると、自装置または各スレーブディスプレイの設定値を変更する。そして、マスタディスプレイのＯＳＤ生成部２３１は、変更後の設定値に基づいて、設定メニュー画像を作成し、作成した設定メニュー画像を表示させる。
【００４８】
また、リモコン３０からは、選択ＩＤ情報変更の指示を送信することができ、マスタディスプレイは、設定メニュー画像の表示中に選択ＩＤ情報変更の指示を受信すると、設定メニュー画像の消去と、選択ＩＤ情報の変更とを行い、その後、変更後の選択ＩＤ情報が示すディスプレイＩＤが割り振られたディスプレイ１０の画面内に、そのディスプレイ１０の設定項目を表した設定項目画像を含む設定メニュー画像を表示させる。たとえば、図１０に示すように、選択ＩＤ情報が「１」の状態で、ディスプレイ１０ａの設定項目を表した設定メニュー画像がディスプレイ１０ａに表示されているときに、選択ＩＤ情報を「２」に変更する指示がリモコン３０からマスタディスプレイへ送信されると、図１２に示すように、選択ＩＤ情報が「２」の状態で、ディスプレイ１０ｂの設定項目を表した設定メニュー画像がディスプレイ１０ｂに表示される。
【００４９】
また、マスタディスプレイのＯＳＤ生成部２３１は、設定メニュー画像内のいずれか１つの設定項目画像またはＩＤ選択画像１０４を選択し、選択した画像の背景色を、設定メニュー画像の他の部分の背景色とは異ならせて、設定メニュー画像を表示する。たとえば、ＯＳＤ生成部２３１は、選択した画像の背景色を黄色とし、それ以外の部分の背景色を青色とする。なお、図１０〜図１２では、ＩＤ選択画像１０４が選択されており、ＩＤ選択画像１０４の背景色が他の部分の背景色とは異なることを示すために、ＩＤ選択画像１０４に斜線を引いている。
【００５０】
ＯＳＤ生成部２３１がいずれの画像を選択しているかは、選択項目情報として、マスタディスプレイの第１メモリ１２に記憶される。たとえば、ＩＤ選択画像１０４が選択されているときは第１メモリ１２に選択項目情報「０」が記憶され、コントラスト設定画像１０５ａが選択されているときは第１メモリ１２に選択項目情報「１」が記憶され、ブラックレベル設定画像１０５ｂが選択されているときは第１メモリ１２に選択項目情報「２」が記憶され、カラー設定画像１０５ｃが選択されているときは第１メモリ１２に選択項目情報「３」が記憶され、ホワイトバランス設定画像１０５ｄが選択されているときは第１メモリ１２に選択項目情報「４」が記憶される。初期設定では、選択項目情報は「０」であり、選択項目情報は、リモコン３０からの指示によって変更することができる。
【００５１】
また、マスタディスプレイの第１メモリ１２は、設定メニュー画像が表示されているか否かを示すメニュー表示情報が記憶される。設定メニュー画像が表示中のとき、メニュー表示情報は「１」であり、設定メニュー画像が表示中ではないとき、メニュー表示情報は「０」である。
【００５２】
ＯＳＤ重畳部２２３は、入力画像または拡大入力画像と、設定メニュー画像または後述する拡大設定項目画像とを重畳した上で、表示器１４の画面内に表示させる。重畳して表示するとは、入力画像または拡大入力画像を構成する分割画像上に、設定メニュー画像または後述する拡大設定項目画像を構成する設定項目分割画像をＯＳＤ表示することである。本実施形態では、マスタディスプレイは、自装置または他のディスプレイ１０の画面内において、入力画像または拡大入力画像と、設定メニュー画像または後述する拡大設定項目画像とを重畳させて表示させることができる。たとえば、図１３に示すように、マスタディスプレイは、図７に示す入力画像１００に、拡大処理、額縁補正処理、および分割処理を行って得られた分割画像１０２ａ〜１０２ｉを、ディスプレイ１０ａ〜１０ｉにそれぞれ表示させ、かつ、分割画像１０２ａ上に設定メニュー画像１０３をＯＳＤ表示させることができる。
【００５３】
ＯＳＤ拡大処理部２３２は、本発明の特徴となる構成であり、設定メニュー画像内の１つの設定項目画像を拡大した画像である拡大設定項目画像を、１つのディスプレイ１０の表示器１４の画面内に、または、複数のディスプレイ１０の表示器１４の画面内に亘って表示させる。本実施形態では、マスタディスプレイのＯＳＤ拡大処理部２３２は、設定項目画像に拡大処理を行うことで拡大設定項目画像を作成し、設定メニュー画像を表示中のディスプレイ１０の画面内に拡大設定項目画像を表示させる。または、マスタディスプレイのＯＳＤ拡大処理部２３２は、拡大設定項目画像に対して分割処理を行うことで、複数の設定項目分割画像を表す設定項目分割画像データを作成し、マルチディスプレイ内座標に基づいて、いずれの設定項目分割画像をいずれのディスプレイ１０の画面内に表示すべきかを判断し、設定項目分割画像を表示すべきと判断したディスプレイ１０のディスプレイＩＤと、その設定項目分割画像を表す設定項目分割画像データとを下流側に送信することで、複数のディスプレイ１０の画面内に亘って拡大設定項目画像を表示させる。
【００５４】
本実施形態では、マスタディスプレイのＯＳＤ拡大処理部２３２は、設定メニュー画像の表示中、設定メニュー画像の表示位置とは異なる位置に、拡大設定項目画像を表示する。ＯＳＤ拡大処理部２３２によって表示される拡大設定項目画像は、マスタディスプレイの第１メモリ１２に記憶される選択ＩＤ情報が示すディスプレイＩＤが割り振られたディスプレイ１０についての設定メニュー画像内の画像のうち、マスタディスプレイの第１メモリ１２に記憶される選択項目情報が示す画像を、拡大したものである。なお、リモコン３０からの指示によって、いずれかのディスプレイ１０に表示中の設定メニュー画像が変更された場合、ＯＳＤ拡大処理部２３２は、拡大設定項目画像を、この設定メニュー画像内の画像に連動させて変更する。
【００５５】
ＯＳＤ拡大処理部２３２は、拡大設定項目画像を、予め定める大きさで、予め定める位置に表示させる。図１４〜図２０は、マルチディスプレイシステム１に表示される拡大設定項目画像を示す図である。本実施形態では、マスタディスプレイのＯＳＤ拡大処理部２３２は、図１４に示すように、設定メニュー画像１０３を表示中のディスプレイ１０ａの画面内において、設定メニュー画像１０３よりも下の位置に、拡大設定項目画像１０６を表示させる。この拡大設定項目画像１０６は、設定メニュー画像１０３内のブラックレベル設定画像１０５ｂを、１つのディスプレイ１０の画面の横幅程度の大きさに拡大したものである。このような拡大率の拡大設定項目画像１０６を表示するとき、マスタディスプレイの第１メモリ１２には、拡大率を示す拡大率情報として「１」が記憶される。
【００５６】
拡大設定項目画像の拡大率は、リモコン３０から指示を送信することによって、変更することができる。図１５〜図１７に示す拡大設定項目画像１０７は、設定メニュー画像１０３内のブラックレベル設定画像１０５ｂを、横並びに隣接する２つのディスプレイ１０の画面の横幅の合計値程度の大きさに拡大したものである。このような拡大率の拡大設定項目画像１０７を表示するとき、マスタディスプレイの第１メモリ１２には、拡大率を示す拡大率情報として「２」が記憶される。
【００５７】
本実施形態では、拡大率情報が「２」であり、設定メニュー画像１０３がマルチディスプレイシステム１における第１列目のディスプレイ１０に表示されるとき、マスタディスプレイは、図１５に示すように、拡大設定項目画像１０７を、２つの設定項目分割画像１０７ａ，１０７ｂに分割して表示させる。拡大設定項目画像１０６の左側部分である設定項目分割画像１０７ａは、設定メニュー画像１０３を表示中のディスプレイ１０ａの画面内において、設定メニュー画像１０３よりも下の位置に表示される。拡大設定項目画像１０７の右側部分である設定項目分割画像１０７ｂは、設定メニュー画像１０３を表示中のディスプレイ１０ａの右隣りのディスプレイ１０ｂの画面内において、設定項目分割画像１０７ａと同じ高さの位置に表示される。
【００５８】
また、拡大率情報が「２」であり、設定メニュー画像１０３がマルチディスプレイシステム１における第２列目のディスプレイ１０に表示されるとき、マスタディスプレイは、図１６に示すように、拡大設定項目画像１０７を、３つの設定項目分割画像１０７ａ，１０７ｂ，１０７ｃに分割して表示させる。拡大設定項目画像１０７の中央部分である設定項目分割画像１０７ｂは、設定メニュー画像１０３を表示中のディスプレイ１０ｅの画面内において、設定メニュー画像１０３よりも下の位置に表示される。拡大設定項目画像１０７の左側部分である設定項目分割画像１０７ａは、設定メニュー画像１０３を表示中のディスプレイ１０ｅの左隣りのディスプレイ１０ｄの画面内において、設定項目分割画像１０７ｂと同じ高さの位置に表示される。拡大設定項目画像１０７の右側部分である設定項目分割画像１０７ｃは、設定メニュー画像１０３を表示中のディスプレイ１０ｅの右隣りのディスプレイ１０ｆの画面内において、設定項目分割画像１０７ｂと同じ高さの位置に表示される。
【００５９】
また、拡大率情報が「２」であり、設定メニュー画像１０３がマルチディスプレイシステム１における第３列目のディスプレイ１０に表示されるとき、マスタディスプレイは、図１７に示すように、拡大設定項目画像１０７を、２つの設定項目分割画像１０７ａ，１０７ｂに分割して表示させる。拡大設定項目画像１０７の右側部分である設定項目分割画像１０７ｂは、設定メニュー画像１０３を表示中のディスプレイ１０ｉの画面内において、設定メニュー画像１０３よりも下の位置に表示される。拡大設定項目画像１０７の左側部分である設定項目分割画像１０７ａは、設定メニュー画像１０３を表示中のディスプレイ１０ｉの左隣りのディスプレイ１０ｈの画面内において、設定項目分割画像１０７ｂと同じ高さの位置に表示される。
【００６０】
マスタディスプレイの第１メモリ１２に記憶される拡大率情報は、リモコン３０から指示を送信することによって、「３」に変更することもできる。図１８〜図２０に示す拡大設定項目画像１０８は、拡大率情報が「３」のときの拡大設定項目画像であり、設定メニュー画像１０３内のブラックレベル設定画像１０５ｂを、横並びに隣接する３つのディスプレイ１０の画面の横幅の合計値程度の大きさに拡大したものである。
【００６１】
本実施形態では、拡大率情報が「３」であり、設定メニュー画像１０３がマルチディスプレイシステム１における第１行目または第３行目のディスプレイ１０に表示されるとき、マスタディスプレイは、図１８または図２０に示すように、拡大設定項目画像１０８を、３つの設定項目分割画像１０８ａ，１０８ｂ，１０８ｃに分割して表示させる。拡大設定項目画像１０８の中央部分である設定項目分割画像１０８ｂは、マルチディスプレイシステム１全体の中央に位置するディスプレイ１０、すなわち、第２行目かつ第２列目に位置するディスプレイ１０ｅの画面内において、中央の高さの位置に表示される。拡大設定項目画像１０８の左側部分である設定項目分割画像１０８ａは、設定項目分割画像１０８ｂを表示中のディスプレイ１０ｅの左隣りのディスプレイ１０ｄの画面内において、設定項目分割画像１０８ｂと同じ高さの位置に表示される。拡大設定項目画像１０８の右側部分である設定項目分割画像１０８ｃは、設定項目分割画像１０８ｂを表示中のディスプレイ１０ｅの右隣りのディスプレイ１０ｆの画面内において、設定項目分割画像１０８ｂと同じ高さの位置に表示される。
【００６２】
また、本実施形態では、拡大率情報が「３」であり、設定メニュー画像１０３がマルチディスプレイシステム１における第２行目のディスプレイ１０に表示されるとき、マスタディスプレイは、図１９に示すように、拡大設定項目画像１０８を、３つの設定項目分割画像１０８ａ，１０８ｂ，１０８ｃに分割して表示させる。拡大設定項目画像１０８の中央部分である設定項目分割画像１０８ｂは、第３行目かつ第２列目に位置するディスプレイ１０ｈの画面内において、中央の高さの位置に表示される。拡大設定項目画像１０８の左側部分である設定項目分割画像１０８ａは、設定項目分割画像１０８ｂを表示中のディスプレイ１０ｈの左隣りのディスプレイ１０ｇの画面内において、設定項目分割画像１０８ｂと同じ高さの位置に表示される。拡大設定項目画像１０８の右側部分である設定項目分割画像１０８ｃは、設定項目分割画像１０８ｂを表示中のディスプレイ１０ｈの右隣りのディスプレイ１０ｉの画面内において、設定項目分割画像１０８ｂと同じ高さの位置に表示される。
【００６３】
このように、拡大設定項目画像は、マスタディスプレイの第１メモリ１２に記憶される拡大率情報に従って、予め定める大きさで、予め定める位置に表示される。なお、拡大設定項目画像が表示中でないとき、拡大率情報は「０」である。
【００６４】
図１５〜図２０に示すように、拡大設定項目画像を複数のディスプレイ１０の画面に亘って表示するとき、額縁補正は行われない。額縁補正が行われると、設定項目名や設定値などが除去されてディスプレイ１０の額縁に隠れているかのような画像が表示されることとなり、設定作業の妨げとなるからである。
【００６５】
次に、リモコン３０について説明する。図２１は、リモコン３０の外観図である。リモコン３０は、パワーボタン３１、メニューボタン３２、サイズボタン３３、およびカーソルボタン３４などの操作ボタンを含む。パワーボタン３１は、ディスプレイ１０の電源を投入または切断するための操作ボタンである。メニューボタン３２は、設定メニュー画像の表示または消去を行うための操作ボタンである。サイズボタン３３は、画像の拡大表示を行うための操作ボタンである。カーソルボタン３４は、カーソル上ボタン３４ａ、カーソル下ボタン３４ｂ、カーソル左ボタン３４ｃ、およびカーソル右ボタン３４ｄの総称であり、設定項目画像の選択を行ったり、設定値の増減を行ったりするための操作ボタンである。
【００６６】
はじめに述べたように、リモコン３０からの指示は、マスタディスプレイにのみ受信される。マスタディスプレイにのみリモコン３０からの指示が有効になる仕組みを、図３を用いて説明する。
【００６７】
図３に示すように、ディスプレイ１０は、スケーラー部１１、受光部１５、第２抵抗素子Ｒ２、論理和回路２５、およびドライバ２６，２７を含んでいる。受光部１５の出力は、論理和回路２５の１つの入力端子に接続され、スケーラー部１１からの出力であるＩＲ＿ＥＮ信号は論理和回路２５の他の入力端子に接続され、論理和回路２５の出力端子は、スケーラー部１１に接続される。そして、論理和回路２５の他の入力端子は、一端がアースに接続される第２抵抗素子Ｒ２の他端に接続される。
【００６８】
マスタディスプレイであるディスプレイ１０ａは、ＩＲ＿ＥＮ信号をローレベルとする。ＩＲ＿ＥＮ信号がローレベルであると、受光部１５は、リモコン３０から受信した光信号が表す情報をスケーラー部１１に送ることができる。スレーブディスプレイであるディスプレイ１０ｂ〜１０ｉは、ＩＲ＿ＥＮ信号をハイレベルとする。ＩＲ＿ＥＮ信号がハイレベルであると、論理和回路２５の出力は常にハイレベルとなり、受光部１５は、リモコン３０から受信した光信号が表す情報をスケーラー部１１に送ることができない。
【００６９】
すなわち、スケーラー部１１は、ＩＲ＿ＥＮ信号をローレベルにすることによって、リモコン３０からの操作情報を受け取ることを有効とし、ＩＲ＿ＥＮ信号をハイレベルにすることによって、リモコン３０からの操作情報を受け取ることを無効とすることができる。したがって、マスタディスプレイのみが、リモコン３０の操作による操作情報を受信することができるので、リモコン３０の操作時にスレーブディスプレイが同時に操作されることを防止することができる。
【００７０】
なお、このような、マスタディスプレイのみリモコン３０からの指示を有効とする設定処理は、図５を用いて説明したディスプレイＩＤの設定処理におけるステップＡ３とＡ７とにおいて、マスタディスプレイおよびスレーブディスプレイによってそれぞれ行われる。
【００７１】
以下に、リモコン３０の、メニューボタン３２、サイズボタン３３、カーソル上ボタン３４ａ、カーソル下ボタン３４ｂ、カーソル左ボタン３４ｃ、およびカーソル右ボタン３４ｄが押下されたときの、マルチディスプレイシステム１による処理を、それぞれ説明する。
【００７２】
図２２は、メニューボタン３２が押下されたときの処理を示すフローチャートである。メニューボタン３２が押下されると、メニューボタン３２が押下されたことを示す操作情報がリモコン３０から送信され、この操作情報がマスタディスプレイの受光部１５によって受信される。受信されると、ステップＢ１の処理が行われる。
【００７３】
ステップＢ１では、マスタディスプレイは、第１メモリ１２に記憶されるメニュー表示情報を参照して、いずれかのディスプレイ１０に設定メニュー画像が表示されているか否かを判断する。設定メニュー画像が表示されている場合、すなわち、メニュー表示情報が「１」の場合、ステップＢ２の処理へ進み、設定メニュー画像が表示されていない場合、すなわち、メニュー表示情報が「０」の場合、ステップＢ３の処理へ進む。
【００７４】
ステップＢ２では、マスタディスプレイは、第１メモリ１２に記憶される拡大率情報が「０」か否かを判断する。拡大率情報が「０」の場合、ステップＢ４の処理へ進み、拡大率情報が「０」ではない場合、すなわち、「１」〜「３」のいずれかである場合、ステップＢ５の処理へ進む。
【００７５】
ステップＢ４では、マスタディスプレイは、第１メモリ１２に記憶される選択ＩＤ情報を参照して、設定メニュー画像が表示されているディスプレイ１０に対して、設定メニュー画像の表示を中止するコマンドを送信する。そして、このディスプレイ１０は、設定メニュー画像を画面から消去し、マスタディスプレイは、第１メモリ１２のメニュー表示情報を、「０」に更新する。
【００７６】
ステップＢ５では、マスタディスプレイは、第１メモリ１２に記憶される選択ＩＤ情報を参照して、設定メニュー画像が表示されているディスプレイ１０に対して、設定メニュー画像の表示を中止するコマンドを送信する。そして、このディスプレイ１０は、設定メニュー画像を画面から消去し、マスタディスプレイは、第１メモリ１２のメニュー表示情報を、「０」に更新する。また、マスタディスプレイは、第１メモリ１２に記憶される拡大率情報を参照して、拡大設定項目画像または設定項目分割画像が表示されているディスプレイ１０に対して、拡大設定項目画像または設定項目分割画像の表示を中止するコマンドを送信する。そして、このディスプレイ１０は、拡大設定項目画像または設定項目分割画像を画面から消去する。
【００７７】
ステップＢ３では、マスタディスプレイは、第１メモリ１２に記憶される拡大率情報が「０」か否かを判断する。拡大率情報が「０」の場合、ステップＢ６の処理へ進み、拡大率情報が「０」ではない場合、すなわち、「１」〜「３」のいずれかである場合、ステップＢ７の処理へ進む。
【００７８】
ステップＢ６では、マスタディスプレイは、第１メモリ１２に記憶される選択ＩＤ情報を参照して、選択ＩＤ情報が示すディスプレイＩＤが割り振られたディスプレイ１０に、設定メニュー画像を表す設定メニュー画像データを送信し、設定メニュー画像を表示させる。そして、マスタディスプレイは、第１メモリ１２のメニュー表示情報を、「１」に更新する。なお、設定メニュー画像は、マスタディスプレイの第１メモリ１２に記憶される、選択項目情報、選択ＩＤ情報、および選択ＩＤ情報が示すディスプレイ１０の各設定値に基づいて、マスタディスプレイによって作成される。
【００７９】
ステップＢ７では、マスタディスプレイは、第１メモリ１２に記憶される選択ＩＤ情報を参照して、選択ＩＤ情報が示すディスプレイＩＤが割り振られたディスプレイ１０に、設定メニュー画像を表す設定メニュー画像データを送信し、設定メニュー画像を表示させる。そして、マスタディスプレイは、第１メモリ１２のメニュー表示情報を、「１」に更新する。なお、設定メニュー画像データは、マスタディスプレイの第１メモリ１２に記憶される、選択項目情報、選択ＩＤ情報、および選択ＩＤ情報が示すディスプレイ１０の各設定値に基づいて、マスタディスプレイによって作成される。
【００８０】
また、ステップＢ７において、マスタディスプレイは、第１メモリ１２に記憶される拡大率情報に基づいて、拡大設定項目画像または設定項目分割画像を表示すべきディスプレイ１０を判断し、このディスプレイ１０に、拡大設定項目画像を表す拡大設定項目画像データまたは設定項目分割画像を表す設定項目分割画像データを送信し、拡大設定項目画像または設定項目分割画像を表示させる。なお、拡大設定項目画像データまたは設定項目分割画像データは、マスタディスプレイの第１メモリ１２に記憶される、拡大率情報、選択項目情報、選択ＩＤ情報、および選択ＩＤ情報が示すディスプレイ１０の各設定値に基づいて、マスタディスプレイによって作成される。
【００８１】
図２３は、サイズボタン３３が押下されたときの処理を示すフローチャートである。サイズボタン３３が押下されると、サイズボタン３３が押下されたことを示す操作情報がリモコン３０から送信され、この操作情報がマスタディスプレイの受光部１５によって受信される。受信されると、ステップＣ１の処理が行われる。
【００８２】
ステップＣ１では、マスタディスプレイは、第１メモリ１２に記憶されるメニュー表示情報を参照して、いずれかのディスプレイ１０に設定メニュー画像が表示されているか否かを判断する。設定メニュー画像が表示されている場合、すなわち、メニュー表示情報が「１」の場合、ステップＣ２の処理へ進み、設定メニュー画像が表示されていない場合、すなわち、メニュー表示情報が「０」の場合、ステップＣ３の処理へ進む。
【００８３】
ステップＣ２では、マスタディスプレイは、第１メモリ１２に記憶される拡大率情報が「３」か否かを判断する。拡大率情報が「３」の場合、ステップＣ４の処理へ進み、拡大率情報が「３」ではない場合、すなわち、「０」〜「２」のいずれかである場合、ステップＣ５の処理へ進む。
【００８４】
ステップＣ４では、マスタディスプレイは、第１メモリ１２に記憶される拡大率情報を参照して、設定項目分割画像が表示されているディスプレイ１０に対して、設定項目分割画像の表示を中止するコマンドを送信する。そして、このディスプレイ１０は、設定項目分割画像を画面から消去し、これによって、拡大設定項目画像は消去され、マスタディスプレイは、第１メモリ１２の拡大率情報を、「０」に更新する。
【００８５】
ステップＣ５では、マスタディスプレイは、第１メモリ１２に記憶される拡大率情報を、１つ値を増加させて更新する。そして、マスタディスプレイは、更新後の拡大率情報に基づいて、拡大設定項目画像または設定項目分割画像を表示すべきディスプレイ１０を判断し、このディスプレイ１０に、拡大設定項目画像を表す拡大設定項目画像データまたは設定項目分割画像を表す設定項目分割画像データを送信し、拡大設定項目画像または設定項目分割画像を表示させる。なお、拡大率情報の更新前に拡大設定項目画像または設定項目分割画像が表示されているディスプレイ１０がある場合、ステップＣ５では、マスタディスプレイによって、そのディスプレイ１０に対して、拡大設定項目画像または設定項目分割画像の表示を中止するコマンドが送信される。
【００８６】
ステップＣ３では、マスタディスプレイは、第１メモリ１２に記憶される選択ＩＤ情報が示すディスプレイＩＤが割り振られたディスプレイ１０に表示されている入力画像を拡大し、複数のディスプレイ１０の画面に亘って表示させる。
【００８７】
図２４は、カーソル上ボタン３４ａまたはカーソル下ボタン３４ｂが押下されたときの処理を示すフローチャートである。カーソル上ボタン３４ａまたはカーソル下ボタン３４ｂが押下されると、カーソル上ボタン３４ａまたはカーソル下ボタン３４ｂが押下されたことを示す操作情報がリモコン３０から送信され、この操作情報がマスタディスプレイの受光部１５によって受信される。受信されると、ステップＤ１の処理が行われる。
【００８８】
ステップＤ１では、マスタディスプレイは、第１メモリ１２に記憶されるメニュー表示情報を参照して、いずれかのディスプレイ１０に設定メニュー画像が表示されているか否かを判断する。設定メニュー画像が表示されている場合、すなわち、メニュー表示情報が「１」の場合、ステップＤ２の処理へ進み、設定メニュー画像が表示されていない場合、すなわち、メニュー表示情報が「０」の場合、処理を終了する。
【００８９】
ステップＤ２では、マスタディスプレイは、第１メモリ１２に記憶される拡大率情報が「０」か否かを判断する。拡大率情報が「０」の場合、ステップＤ３の処理へ進み、拡大率情報が「０」ではない場合、すなわち、「１」〜「３」のいずれかである場合、ステップＤ４の処理へ進む。
【００９０】
ステップＤ３では、マスタディスプレイは、第１メモリ１２に記憶される選択項目情報を変更する。より詳細には、カーソル上ボタン３４ａが押下された場合であれば、選択項目情報を、１つ値を減少させて更新する。ただし、更新前の選択項目情報が「０」であるときは、「４」に更新する。また、カーソル下ボタン３４ｂが押下された場合であれば、選択項目情報を、１つ値を増加させて更新する。ただし、更新前の選択項目情報が「４」であるときは、「０」に更新する。
【００９１】
さらに、ステップＤ３では、マスタディスプレイは、第１メモリ１２に記憶される選択ＩＤ情報を参照して、選択ＩＤ情報が示すディスプレイＩＤが割り振られたディスプレイ１０に、選択項目情報の更新後の新たな設定メニュー画像を表す設定メニュー画像データを送信し、設定メニュー画像を表示させる。この新たな設定メニュー画像では、更新後の選択項目情報が示す画像部分の背景色が、その他の部分の背景色とは異なる色になる。
【００９２】
ステップＤ４では、マスタディスプレイは、第１メモリ１２に記憶される選択項目情報を変更する。より詳細には、カーソル上ボタン３４ａが押下された場合であれば、選択項目情報を、１つ値を減少させて更新する。ただし、更新前の選択項目情報が「０」であるときは、「４」に更新する。また、カーソル下ボタン３４ｂが押下された場合であれば、選択項目情報を、１つ値を増加させて更新する。ただし、更新前の選択項目情報が「４」であるときは、「０」に更新する。
【００９３】
さらに、ステップＤ４では、マスタディスプレイは、第１メモリ１２に記憶される選択ＩＤ情報を参照して、選択ＩＤ情報が示すディスプレイＩＤが割り振られたディスプレイ１０に、選択項目情報の更新後の新たな設定メニュー画像を表す設定メニュー画像データを送信し、設定メニュー画像を表示させる。この新たな設定メニュー画像では、更新後の選択項目情報が示す画像部分の背景色が、その他の部分の背景色とは異なる色になる。
【００９４】
また、ステップＤ４では、マスタディスプレイは、第１メモリ１２に記憶される拡大率情報を参照して、拡大設定項目画像または設定項目分割画像が表示されているディスプレイ１０に対して、拡大設定項目画像または設定項目分割画像の表示を中止するコマンドを送信するとともに、選択項目情報の更新後の新たな拡大設定項目画像を表す拡大設定項目画像データまたは新たな設定項目分割画像を表す設定項目分割画像データを送信し、新たな拡大設定項目画像または新たな設定項目分割画像を表示させる。
【００９５】
図２５は、カーソル左ボタン３４ｃまたはカーソル右ボタン３４ｄが押下されたときの処理を示すフローチャートである。カーソル左ボタン３４ｃまたはカーソル右ボタン３４ｄが押下されると、カーソル左ボタン３４ｃまたはカーソル右ボタン３４ｄが押下されたことを示す操作情報がリモコン３０から送信され、この操作情報がマスタディスプレイの受光部１５によって受信される。受信されると、ステップＥ１の処理が行われる。
【００９６】
ステップＥ１では、マスタディスプレイは、第１メモリ１２に記憶されるメニュー表示情報を参照して、いずれかのディスプレイ１０に設定メニュー画像が表示されているか否かを判断する。設定メニュー画像が表示されている場合、すなわち、メニュー表示情報が「１」の場合、ステップＥ２の処理へ進み、設定メニュー画像が表示されていない場合、すなわち、メニュー表示情報が「０」の場合、処理を終了する。
【００９７】
ステップＥ２では、マスタディスプレイは、第１メモリ１２に記憶される拡大率情報が「０」か否かを判断する。拡大率情報が「０」の場合、ステップＥ３の処理へ進み、拡大率情報が「０」ではない場合、すなわち、「１」〜「３」のいずれかである場合、ステップＥ４の処理へ進む。
【００９８】
ステップＥ３では、マスタディスプレイは、第１メモリ１２に記憶される選択項目情報を参照して、選択項目情報が示す項目における設定値を変更する。より詳細には、カーソル左ボタン３４ｃが押下された場合であれば、マスタディスプレイの第１メモリ１２に記憶される、選択ＩＤ情報が示すディスプレイＩＤが割り振られたディスプレイ１０における設定値を、１つ値を減少させて更新する。ただし、更新前の設定値が最小値であるときは、設定値は変更しない。また、選択項目情報が示す項目が、図１１に示すＩＤ選択画像１０４であるときにおいて、更新前の選択ＩＤ情報が「１」以外であれば、選択ＩＤ情報を、１つ値を減少させて更新し、更新前の選択ＩＤ情報が「１」であれば、選択ＩＤ情報を、「９」に更新する。
【００９９】
また、カーソル右ボタン３４ｄが押下された場合であれば、マスタディスプレイの第１メモリ１２に記憶される、選択ＩＤ情報が示すディスプレイＩＤが割り振られたディスプレイ１０における設定値を、１つ値を増加させて更新する。ただし、更新前の設定値が最大値であるときは、設定値は変更しない。また、選択項目情報が示す項目が、ＩＤ選択画像１０４であるときにおいて、更新前の選択ＩＤ情報が「９」以外であれば、選択ＩＤ情報を、１つ値を増加させて更新し、更新前の選択ＩＤ情報が「９」であれば、選択ＩＤ情報を、「１」に更新する。
【０１００】
そして、ステップＥ３では、マスタディスプレイは、更新した項目における設定値を、選択ＩＤ情報が示すディスプレイＩＤが割り振られたディスプレイ１０に送信して、そのディスプレイ１０の設定値を変更させる。ただし、更新した項目がＩＤ選択画像１０４であるときは、このような処理は行わない。
【０１０１】
さらに、ステップＥ３では、マスタディスプレイは、第１メモリ１２に記憶される選択ＩＤ情報を参照して、選択ＩＤ情報が示すディスプレイＩＤが割り振られたディスプレイ１０に、設定値の変更後の新たな設定メニュー画像を表す設定メニュー画像データを送信し、設定メニュー画像を表示させる。
【０１０２】
ステップＥ４では、マスタディスプレイは、第１メモリ１２に記憶される選択項目情報を参照して、選択項目情報が示す項目における設定値を変更する。より詳細には、カーソル左ボタン３４ｃが押下された場合であれば、マスタディスプレイの第１メモリ１２に記憶される、選択ＩＤ情報が示すディスプレイＩＤが割り振られたディスプレイ１０における設定値を、１つ値を減少させて更新する。ただし、更新前の設定値が最小値であるときは、設定値は変更しない。また、選択項目情報が示す項目が、図１１に示すＩＤ選択画像１０４であるときにおいて、更新前の選択ＩＤ情報が「１」以外であれば、選択ＩＤ情報を、１つ値を減少させて更新し、更新前の選択ＩＤ情報が「１」であれば、選択ＩＤ情報を、「９」に更新する。
【０１０３】
また、カーソル右ボタン３４ｄが押下された場合であれば、マスタディスプレイの第１メモリ１２に記憶される、選択ＩＤ情報が示すディスプレイＩＤが割り振られたディスプレイ１０における設定値を、１つ値を増加させて更新する。ただし、更新前の設定値が最大値であるときは、設定値は変更しない。また、選択項目情報が示す項目が、ＩＤ選択画像１０４であるときにおいて、更新前の選択ＩＤ情報が「９」以外であれば、選択ＩＤ情報を、１つ値を増加させて更新し、更新前の選択ＩＤ情報が「９」であれば、選択ＩＤ情報を、「１」に更新する。
【０１０４】
そして、ステップＥ４では、マスタディスプレイは、更新した項目における設定値を、選択ＩＤ情報が示すディスプレイＩＤが割り振られたディスプレイ１０に送信して、そのディスプレイ１０の設定値を変更させる。ただし、更新した項目がＩＤ選択画像１０４であるときは、このような処理は行わない。
【０１０５】
さらに、ステップＥ４では、マスタディスプレイは、第１メモリ１２に記憶される選択ＩＤ情報を参照して、選択ＩＤ情報が示すディスプレイＩＤが割り振られたディスプレイ１０に、設定値の変更後の新たな設定メニュー画像を表す設定メニュー画像データを送信し、設定メニュー画像を表示させる。
【０１０６】
また、ステップＥ４では、マスタディスプレイは、第１メモリ１２に記憶される拡大率情報を参照して、拡大設定項目画像または設定項目分割画像が表示されているディスプレイ１０に対して、拡大設定項目画像または設定項目分割画像の表示を中止するコマンドを送信する。そして、マスタディスプレイは、拡大率情報を参照して、拡大設定項目画像または設定項目分割画像を表示すべきディスプレイ１０を判断し、このディスプレイ１０に、設定値の変更後の新たな拡大設定項目画像を表す拡大設定項目画像データまたは新たな設定項目分割画像を表す設定項目分割画像データを送信し、新たな拡大設定項目画像または新たな設定項目分割画像を表示させる。
【０１０７】
以上のように構成されるマルチディスプレイシステム１によれば、設定メニュー画像の一部である設定項目画像を、１つのディスプレイ１０の画面内または複数のディスプレイ１０の画面に亘って、拡大表示することができるので、ディスプレイ１０から遠く離れた位置でも設定項目画像を判読することができ、設定値の変更が容易となる。
【０１０８】
また本実施形態では、図１５〜図２０に示すように、マルチディスプレイシステム１内の複数のディスプレイ１０に亘って設定項目画像を拡大表示することができるので、ディスプレイ１０からより遠く離れた位置でも設定項目画像を判読することができる。
【０１０９】
また本実施形態では、設定メニュー画像の表示位置とは異なる位置に設定項目画像が拡大表示されるので、設定メニュー画像と設定項目画像とを両方判読することができる。
【０１１０】
また本実施形態では、１つのディスプレイ１０の画面内に、そのディスプレイ１０の設定項目を表した設定メニュー画像が表示される。したがって、設定メニュー画像が表示されているディスプレイ１０を確認することで、マルチディスプレイシステム１を構成する複数のディスプレイ１０のうちのいずれのディスプレイ１０の設定項目画像が拡大表示されているのかを確認することができる。
【０１１１】
また本実施形態では、図１８〜図２０に示すように、設定メニュー画像が表示されているディスプレイ１０以外のディスプレイ１０に設定項目画像を拡大表示することができるので、設定項目画像をより大きく拡大表示することができる。
【符号の説明】
【０１１２】
１  マルチディスプレイシステム
１０，１０ａ，１０ｂ，１０ｃ，１０ｄ，１０ｅ，１０ｆ，１０ｇ，１０ｈ，１０ｉ  ディスプレイ
１１  スケーラー部
１２  第１メモリ
１３  第２メモリ
１４  表示器
１５  受光部
１６  画像信号入力部
１７  ＬＡＮ接続部
１８  ＲＳ−２３２Ｃ入力接続部
１９  ＲＳ−２３２Ｃ出力接続部
２１  ＣＰＵ
２２  表示制御回路部
２３  ＯＳＤ回路部
３０  リモコン
２２１  額縁補正部
２２２  拡大処理部
２２３  ＯＳＤ重畳部
２３１  ＯＳＤ生成部
２３２  ＯＳＤ拡大処理部
【図１】
2013009057.tif 000003
【図２】
2013009057.tif 000004
【図３】
2013009057.tif 000005
【図４】
2013009057.tif 000006
【図５】
2013009057.tif 000007
【図６】
2013009057.tif 000008
【図７】
2013009057.tif 000009
【図８】
2013009057.tif 000010
【図９】
2013009057.tif 000011
【図１０】
2013009057.tif 000012
【図１１】
2013009057.tif 000013
【図１２】
2013009057.tif 000014
【図１３】
2013009057.tif 000015
【図１４】
2013009057.tif 000016
【図１５】
2013009057.tif 000017
【図１６】
2013009057.tif 000018
【図１７】
2013009057.tif 000019
【図１８】
2013009057.tif 000020
【図１９】
2013009057.tif 000021
【図２０】
2013009057.tif 000022
【図２１】
2013009057.tif 000023
【図２２】
2013009057.tif 000024
【図２３】
2013009057.tif 000025
【図２４】
2013009057.tif 000026
【図２５】
2013009057.tif 000027